(57)【要約】      （修正有）【課題】検知器の状態を把握することができる制御システム、プログラム及び制御方法を提供する。【解決手段】警報システム２の制御システム１において制御装置１０は、制御部に、取得部１０１と、生成部１０２と、出力処理部１０３と、を備える。取得部１０１は、施設の異常の発生を検知する複数の警報器に関連する第１関連情報を、各警報器から取得する。生成部１０２は、第１関連情報に基づいて、利用者が閲覧する閲覧コンテンツを生成する。出力処理部１０３は、閲覧コンテンツを出力する。【選択図】図１
2020087364.tif 000002
【特許請求の範囲】
【請求項１】
施設の異常の発生を検知する検知器に関連する関連情報を、前記検知器から取得する取得部と、
前記関連情報に基づいて、利用者が閲覧する閲覧コンテンツを生成する生成部と、
前記閲覧コンテンツを出力する出力処理部と、を備える、
制御システム。
【請求項２】
前記検知器は、前記異常の発生を検知した場合に発報し、
前記関連情報は、前記検知器が発報した履歴に関する発報履歴を含み、
前記生成部は、前記発報履歴を含む前記閲覧コンテンツを生成する、
請求項１に記載の制御システム。
【請求項３】
前記関連情報は、前記検知器の点検の履歴に関する点検履歴を含み、
前記生成部は、前記点検履歴を含む前記閲覧コンテンツを生成する、
請求項１又は２に記載の制御システム。
【請求項４】
前記関連情報は、前記検知器が設置されてからの経過期間を含み、
前記生成部は、前記経過期間を含む前記閲覧コンテンツを生成する、
請求項１〜３のいずれか一項に記載の制御システム。
【請求項５】
前記関連情報は、前記検知器が備える電池の残量に関する残量情報を含み、
前記生成部は、前記残量情報を含む前記閲覧コンテンツを生成する、
請求項１〜４のいずれか一項に記載の制御システム。
【請求項６】
前記施設は、少なくとも前記検知器を含む複数の機器を設けており、
前記生成部は、前記複数の機器の各々の関連情報を含む前記閲覧コンテンツを生成する、
請求項１〜５のいずれか一項に記載の制御システム。
【請求項７】
前記複数の機器は、前記検知器である、
請求項６に記載の制御システム。
【請求項８】
前記生成部は、前記複数の機器の各々の関連情報を含む前記閲覧コンテンツを一覧表として生成する
請求項６又は７に記載の制御システム。
【請求項９】
前記閲覧コンテンツを表示する表示部を、更に備える、
請求項１〜８のいずれか一項に記載の制御システム。
【請求項１０】
前記出力処理部は、前記閲覧コンテンツを、外部の情報端末に出力して前記情報端末に前記閲覧コンテンツを表示させる、
請求項１〜９のいずれか一項に記載の制御システム。
【請求項１１】
前記出力処理部は、前記閲覧コンテンツが階層表示されるように前記閲覧コンテンツの表示を制御する、
請求項９又は１０に記載の制御システム。
【請求項１２】
前記出力処理部は、少なくとも所定の条件を満たす場合には前記閲覧コンテンツをプッシュ通知による出力を行う、
請求項１〜１０のいずれか一項に記載の制御システム。
【請求項１３】
コンピュータを、請求項１〜１２のいずれか一項に記載の制御システムとして機能させるためのプログラム。
【請求項１４】
施設の異常の発生を検知する検知器に関連する関連情報を、前記検知器から取得する取得ステップと、
前記関連情報に基づいて、利用者が閲覧する閲覧コンテンツを生成する生成ステップと、
前記閲覧コンテンツを出力する出力処理ステップと、を含む、
制御方法。
【発明の詳細な説明】
【技術分野】
【０００１】
本開示は、一般に制御システム、プログラム及び制御方法に関し、より詳細には施設の異常を検知する検知器に関する情報を通知する制御システム、プログラム及び制御方法に関する。
【背景技術】
【０００２】
従来例として、特許文献１に記載の火災警報器を例示する。この火災警報器は、温度が火災閾値を超えているか否かを判定して超えている場合に火災と判定して火災の発生を検出する火災検出部と、火災の発生を検出することで、火災警報として表示灯を点灯し、火災の発生を音声警報する警報部と、を備えている。これにより、火災が発生すると、火災警報器が設置された住居内において音声警報が報知される。
【先行技術文献】
【特許文献】
【０００３】
【特許文献１】特開２０１６−１９２１１７号公報
【発明の概要】
【発明が解決しようとする課題】
【０００４】
ところで、住居（施設）内の住人（利用者）は、設置されている火災警報器（検知器）の現在の状態、例えば故障の有無又はメンテナンスの要否を把握したいという要望がある。特許文献１では、火災警報器の状態を把握することができない。
【０００５】
本開示は上記課題に鑑みてなされ、検知器の状態を把握することができる制御システム、プログラム及び制御方法を提供することを目的とする。
【課題を解決するための手段】
【０００６】
本開示の一態様に係る制御システムは、取得部と、生成部と、出力処理部と、を備える。前記取得部は、施設の異常の発生を検知する検知器に関連する関連情報を、前記検知器から取得する。前記生成部は、前記関連情報に基づいて、利用者が閲覧する閲覧コンテンツを生成する。前記出力処理部は、前記閲覧コンテンツを出力する。
【０００７】
本開示の一態様に係るプログラムは、コンピュータを、前記制御システムとして機能させるためのプログラムである。
【０００８】
本開示の一態様に係る制御方法は、取得ステップと、生成ステップと、出力処理ステップと、を含む。前記取得ステップは、施設の異常の発生を検知する検知器に関連する関連情報を、前記検知器から取得する。前記生成ステップは、前記関連情報に基づいて、利用者が閲覧する閲覧コンテンツを生成する。前記出力処理ステップは、前記閲覧コンテンツを出力する。
【発明の効果】
【０００９】
本開示によると、検知器の状態を把握することができる。
【図面の簡単な説明】
【００１０】
【図１】図１は、本開示の一態様に係る制御システムとしての制御装置及び警報システムの構成を説明する図である。
【図２】図２は、同上の制御装置及び警報システムの一適用例を説明する図である。
【図３】図３は、同上の警報システムが備える親機としての警報器の構成を示す図である。
【図４】図４は、同上の警報システムが備える子機としての警報器の構成を示す図である。
【図５】図５は、同上の制御装置が生成した閲覧コンテンツを表示する際の画面を説明する図である。
【図６】図６は、同上の制御装置が閲覧コンテンツを生成する際の動作について説明する図である。
【図７】図７は、変形例１に係る画面を説明するための図である。
【発明を実施するための形態】
【００１１】
以下に説明する実施形態及び変形例は、本開示の一例に過ぎず、本開示は、実施形態及び変形例に限定されない。以下の実施形態及び変形例以外であっても、本開示に係る技術的思想を逸脱しない範囲であれば、設計等に応じて種々の変更が可能である。
【００１２】
（実施形態）
（１）概要
本実施形態に係る警報システム２は、本実施形態の制御システム１としての制御装置１０と、複数（本実施形態では５つ）の警報器２０，２１（防災機器）と、複数（本実施形態では５つ）の電気機器３０と、を備える。
【００１３】
本実施形態の制御システム１としての制御装置１０は、複数の警報器２０，２１、及び複数の電気機器３０と通信可能である。以下、複数（本実施形態では４つ）の警報器２１を区別する場合には、警報器２１ａ，２１ｂ，２１ｃ，２１ｄと記載する。
【００１４】
複数の警報器２０，２１は、施設５での災害の発生を検知する検知機能（つまり、災害を検知する機能）と、施設５での災害の発生を検知した場合に報知する警報機能とを有し、災害に関する報知動作を行う。ここで、複数の警報器２０，２１は、災害として、火災、水害、地震のうち少なくとも１つを検知する。本実施形態では、一例として、複数の警報器２０，２１は、火災に関する報知動作を行う。すなわち、複数の警報器２０，２１は、火災の発生時に警報音等の音を出力する。しかし、警報器２０，２１における警報音の発報対象は、火災に限定されず、ガス漏れ、又は不完全燃焼によるＣＯ（一酸化炭素）の発生等であってもよい。
【００１５】
複数の警報器２０，２１は、施設５において互いに異なる空間に設けられている。具体的には、複数の警報器２０，２１は、設置対象の空間にある天井や壁等に設置される。本実施形態では、複数の警報器２０，２１は、図２に示すように、施設５内の空間Ｅ１〜Ｅ５にそれぞれ設置される。具体的には、警報器２０は空間Ｅ１に、警報器２１ａは空間Ｅ２に、警報器２１ｂは空間Ｅ３に、警報器２１ｃは空間Ｅ４に、警報器２１ｄは空間Ｅ５に、それぞれ設置される（図２参照）。
【００１６】
本実施形態では、施設５として戸建の住宅を想定している。しかしながら、施設５は、集合住宅（マンション）であってもよい。更に、施設５は、住宅に限らず、非住宅、例えば、オフィスビル、劇場、映画館、公会堂、遊技場、複合施設、飲食店、百貨店、学校、ホテル、旅館、病院、老人ホーム、幼稚園、図書館、博物館、美術館、地下街、駅、空港等であってもよい。
【００１７】
さらに、本実施形態では、複数の警報器２０，２１の間で、通信可能なネットワークが形成されている。ここでは、警報器２０を親機とし、複数の警報器２１を子機として、親機と子機との間で通信可能である。
【００１８】
複数の警報器２０，２１は、いわゆる連動型の防災機器であり、いずれの警報器で火災を検出しても、他の警報器と連動して（他の警報器と共に）、警報音の発報を行うように構成されている。火元の位置にある警報器（連動元）は、例えば、「ビュービュー火事です。」という警報音の発報を行う。一方、他の警報器（連動先）は、火元の位置を特定できるような警報音の発報を行う。
【００１９】
例えば、子機である警報器２１ａで火災を検出すると、警報器２１ａは、親機である警報器２０に、施設５の火災の発生を検知したことを表す情報を検知結果として送信する。警報器２０は、検知結果を受け取ると、警報音を発報し、他の子機（警報器２１ｂ〜２１ｄ）に発報指示を送信する。さらに、警報器２０は、警報器２１ａの検知結果を制御装置１０に送信する。警報器２０から発報指示を受け取った警報器２１（警報器２１ｂ〜２１ｄ）は、警報音を発報する。ここで、検知結果は、送信元の警報器に割り当てられた識別子（警報器用識別子）を含む。
【００２０】
また、警報器２０で火災を検出すると、警報器２０は、警報音を発報し、子機（警報器２１ａ〜２１ｄ）に発報指示を送信する。さらに、警報器２０は、警報器２０の検知結果を制御装置１０に送信する。警報器２０から発報指示を受け取った警報器２１（警報器２１ａ〜２１ｄ）は、警報音を発報する。
【００２１】
複数の電気機器３０は、複数の空間Ｅ１〜Ｅ５に、それぞれ設けられている。電気機器３０は、例えば、照明機器、調理機器、空気清浄機、エアコンディショナ、センサ等である。センサは、例えば、開閉センサ、クレセントセンサ等である。
【００２２】
制御装置１０は、警報器２０及び各電気機器３０と無線による通信が可能に構成されている。制御装置１０と、警報器２０及び各電気機器３０との間では、９２０ＭＨｚ帯の電波を利用した無線通信が行われる。また、上述したように、警報器２０と各警報器２１との間では通信が可能である。本実施形態では、警報器２０と各警報器２１との間では４２０ＭＨｚ帯の電波を利用した無線通信が行われる。これにより、制御装置１０は、警報器２０を介して各警報器２１と通信可能となる。
【００２３】
さらに、制御装置１０は、インターネット等のネットワーク３を介してサーバ４０と通信可能に構成されている。サーバ４０は、ネットワーク３を介して情報端末５０と通信可能に構成されている。つまり、制御装置１０は、サーバ４０を介して情報端末５０に情報を通知することが可能である。ここで、情報端末５０は、施設５の関係者（例えば、住人）が所有するスマートフォン、タブレット端末等である。本実施形態では、情報端末５０は、スマートフォンを想定している。
【００２４】
（２）構成
（２−１）制御装置
制御装置１０は、例えば、ＨＥＭＳ（home energy management system）のコントローラであり、施設５に設けられた複数の電気機器３０と通信可能である。本実施形態では、制御装置１０は、さらに、施設５に設けられた複数の警報器２０，２１と通信可能である。
【００２５】
制御装置１０は、図１に示すように、第１通信部１１、第２通信部１２、記憶部１３、制御部１４及び表示部１５を備える。
【００２６】
制御装置１０は、例えばプロセッサ及びメモリを有するコンピュータシステムを有している。そして、プロセッサがメモリに格納されているプログラムを実行することにより、コンピュータシステムが制御部１４として機能する。プロセッサが実行するプログラムは、ここではコンピュータシステムのメモリに予め記録されているが、メモリカード等の非一時的記録媒体に記録されて提供されてもよいし、インターネット等の電気通信回線を通じて提供されてもよい。
【００２７】
第１通信部１１は、警報器２０及び各電気機器３０と通信を行うための通信インタフェースを含んでいる。第１通信部１１は、９２０ＭＨｚ帯の電波を利用した無線通信により、警報器２０（又は２１）に関連する第１関連情報（関連情報）を警報器２０から受信する。さらには、第１通信部１１は、９２０ＭＨｚ帯の電波を利用した無線通信により、電気機器３０に関連する第２関連情報（関連情報）を受信する。ここで、第１関連情報は、対応する警報器が発報した履歴に関する発報履歴、対応する警報器に対する点検の履歴に関する点検履歴、対応する警報器が設置されてからの経過期間、及び対応する警報器が備えるバッテリー２０７（図３、図４参照）の残容量に関する残量情報のうち少なくとも１つを含む。ここで、バッテリー２０７は、例えばリチウム電池である。第２関連情報は、対応する電気機器に対する点検の履歴に関する機器用点検履歴及び対応する警報器が設置されてからの機器用経過期間のうち少なくとも１つを含む。
【００２８】
第２通信部１２は、インターネット等のネットワーク３を介してサーバ４０と通信を行うための通信インタフェースを有している。第２通信部１２は、サーバ４０を介して情報端末５０と通信を行う。
【００２９】
記憶部１３は、ＲＯＭ（Read Only Memory）、ＲＡＭ（Random Access Memory）、又はＥＥＰＲＯＭ（Electrically Erasable Programmable Read Only Memory）等から選択されるデバイスで構成される。
【００３０】
記憶部１３は、複数の警報器２０，２１の各々の警報器用識別子及び複数の電気機器３０の各々の電気機器用識別子を記憶している。具体的には、記憶部１３は、空間Ｅ１〜Ｅ５のそれぞれに対して、当該空間に設けられる警報器２０（又は２１）の警報器用識別子を対応付けて記憶する。例えば、記憶部１３は、空間Ｅ１に警報器２０の警報器用識別子を対応付けて記憶する。記憶部１３は、空間Ｅ２に警報器２１ａの警報器用識別子を対応付けて記憶する。記憶部１３は、空間Ｅ３に警報器２１ｂの警報器用識別子を対応付けて記憶する。記憶部１３は、空間Ｅ４に警報器２１ｃの警報器用識別子を対応付けて記憶する。記憶部１３は、空間Ｅ５に警報器２１ｄの警報器用識別子を対応付けて記憶する。記憶部１３は、空間Ｅ１〜Ｅ５及び他の空間のそれぞれに対して、当該空間に設けられる電気機器３０の電気機器用識別子を対応付けて記憶する。ここで、警報器用識別子は、対応する警報器２０（又は２１）の型番と製造シリアル番号を組み合わせた機器固有ＩＤ、又はＭａｃアドレス等である。電気機器用識別子は、対応する電気機器３０の型番と製造シリアル番号を組み合わせた機器固有ＩＤ、又はＭａｃアドレス等である。
【００３１】
記憶部１３は、警報器２０の第１関連情報及び各警報器２１の第１関連情報を時系列に記憶する。さらに、記憶部１３は、各電気機器３０の第２関連情報をも時系列に記憶する。
【００３２】
制御部１４は、図１に示すように、取得部１０１、生成部１０２及び出力処理部１０３を有する。
【００３３】
取得部１０１は、警報器２０（又は２１）からの第１関連情報を取得する。具体的には、取得部１０１は、警報器２０の第１関連情報を、第１通信部１１を介して取得する。取得部１０１は、警報器２１の第１関連情報を、警報器２０及び第１通信部１１を介して取得する。取得部１０１は、取得した第１関連情報を記憶部１３に蓄積する。
【００３４】
さらに、取得部１０１は、第２関連情報を取得すると、取得した第２関連情報を記憶部１３に記憶する。
【００３５】
生成部１０２は、制御装置１０が受け付けた操作内容、又は情報端末５０からの要求に応じて、警報器２０，２１の各々の第１関連情報に基づいて、利用者が閲覧可能な閲覧コンテンツを生成する。例えば、生成部１０２は、警報器２０，２１について第１関連情報に基づく情報を利用者が閲覧可能な一覧表として閲覧コンテンツを生成する。具体的には、生成部１０２は、発報履歴、点検履歴、経過期間及び残量情報のうち第１関連情報に含まれる少なくとも１つを含む閲覧コンテンツを生成する。要は、生成部１０２は、発報履歴、点検履歴、経過期間及び残量情報のうち少なくとも１つを含む閲覧コンテンツを生成する。例えば、生成部１０２は、経過期間が所定の期間を経過している場合には対応する警報器の買替を促すメッセージを、残量情報がバッテリー２０７の残容量が所定値以下となっている場合には対応する警報器のバッテリーの交換を促すメッセージを含む閲覧コンテンツを生成する。また、警報器の経過期間が所定の期間を経過していない場合及びバッテリーの残容量が所定値より大きい場合には、正常に動作している旨のメッセージが閲覧コンテンツに含まれる。また、点検履歴において、最新の点検において発報がされていないことを表す情報が含まれている場合には、故障を表すメッセージが閲覧コンテンツに含まれる。生成部１０２は、経過期間を基に、清掃を促すメッセージを閲覧コンテンツに含めてもよい。
【００３６】
これにより、生成部１０２は、警報器２０，２１を１つのグループとする閲覧コンテンツ、つまり１つの種別に対する閲覧コンテンツを生成することができる。
【００３７】
さらに、生成部１０２は、制御装置１０が受け付けた操作内容、又は情報端末５０からの要求に応じて、電気機器３０の各々の第２関連情報に基づいて、利用者が閲覧可能な機器用閲覧コンテンツを生成する。例えば、生成部１０２は、機器用点検履歴及び機器用経過期間のうち第２関連情報に含まれる少なくとも１つを含む機器用閲覧コンテンツを生成する。要は、生成部１０２は、機器用点検履歴及び機器用経過期間のうち少なくとも１つを含む機器用閲覧コンテンツを生成する。
【００３８】
なお、機器用閲覧コンテンツは、閲覧コンテンツに含めてもよい。つまり、生成部１０２は、第１関連情報に基づく利用者が閲覧可能な情報と第２関連情報に基づく利用者が閲覧可能な情報とを、同一の一覧表で表示可能となるように閲覧コンテンツを生成してもよい。このとき、生成部１０２は、機器の種別ごとにグループを形成し、閲覧コンテンツに含める内容をグループ単位でまとめてもよい。例えば、生成部１０２は、警報器２０，２１を１つのグループとし、複数の照明機器を１つのグループとして、閲覧コンテンツに含める内容をグループ単位で表示するように、閲覧コンテンツを生成する。
【００３９】
出力処理部１０３は、生成部１０２が生成した閲覧コンテンツを、第２通信部１２を介してサーバ４０に送信する。具体的には、出力処理部１０３は、閲覧コンテンツと、当該閲覧コンテンツの通知先となる情報端末５０に関する情報（例えば、メールアドレス又は電話番号）とを、サーバ４０に送信する。さらに、出力処理部１０３は、表示部１５に閲覧コンテンツを表示させるように、当該閲覧コンテンツを表示部１５に出力する。
【００４０】
出力処理部１０３は、生成部１０２が生成した機器用閲覧コンテンツを、第２通信部１２を介してサーバ４０に送信する。具体的には、出力処理部１０３は、機器用閲覧コンテンツと、当該機器用閲覧コンテンツの通知先となる情報端末５０に関する情報（例えば、メールアドレス又は電話番号）とを、サーバ４０に送信する。さらに、出力処理部１０３は、表示部１５に機器用閲覧コンテンツを表示させるように、当該機器用閲覧コンテンツを表示部１５に出力する。
【００４１】
表示部１５は、例えば液晶ディスプレイや有機ＥＬ（electroluminescence）ディスプレイのような薄型のディスプレイ装置である。表示部１５は、閲覧コンテンツ及び機器用閲覧コンテンツを表示する。
【００４２】
（２−２）警報器（親機）
ここでは、親機である警報器２０の構成について説明する。
【００４３】
警報器２０は、施設５での災害（ここでは、火災）の発生を検知する検知機能と、施設５での災害の発生を検知した場合に報知する警報機能を有する。警報器２０は、図３に示すように、検知部２０１、報知部２０２、記憶部２０３、第１通信部２０４、第２通信部２０５、制御部２０６及びバッテリー２０７を有する。
【００４４】
警報器２０は、例えばプロセッサ及びメモリを有するコンピュータシステムを有している。そして、プロセッサがメモリに格納されているプログラムを実行することにより、コンピュータシステムが制御部２０６として機能する。プロセッサが実行するプログラムは、ここではコンピュータシステムのメモリに予め記録されているが、メモリカード等の非一時的記録媒体に記録されて提供されてもよいし、インターネット等の電気通信回線を通じて提供されてもよい。
【００４５】
警報器２０は、バッテリー２０７から供給される電力で動作する。
【００４６】
検知部２０１は、警報音の発報対象となる火災に関する情報を検知する機能（検知機能）を有している。ここでは、検知部２０１は、一例として、煙を検知する光電式のセンサである。したがって、上記情報は、例えば、煙に関する情報を含む。検知部２０１は、例えば、ＬＥＤ等の発光部２１１と、フォトダイオード等の受光部２１２とを備えている。発光部２１１及び受光部２１２は、自機の筐体のラビリンス内において、受光部２１２の受光面が、発光部２１１の照射光の光軸上から外れるように配置されている。火災の発生時には、煙が筐体に設けられた孔を通じて、ラビリンス内に導入され得る。
【００４７】
筐体のラビリンス内に煙が存在しない場合、発光部２１１の照射光は、受光部２１２の受光面にほとんど到達しない。一方、筐体のラビリンス内に煙が存在する場合、発光部２１１の照射光が煙によって散乱し、散乱した光の一部が受光部２１２の受光面に到達する。つまり、検知部２０１は、煙によって散乱された発光部２１１の照射光を受光部２１２で受光する。
【００４８】
検知部２０１は、受光部２１２で受光された光量に応じた電圧レベルを示す電気信号（検知信号）を制御部２０６に出力する。
【００４９】
報知部２０２は、表示部２２１及び音響部２２２を有する。報知部２０２は、施設５での災害の発生を検知した場合に、火災の発生を報知する機能（報知機能）を有している。本実施形態では、報知部２０２は、光及び音で報知を行う。
【００５０】
音響部２２２は、火災の発生を報知する機能を有している。音響部２２２は、音（音波）を出力する。音響部２２２は、制御部２０６にて火災が発生したと判定したときに、火災の発生を報知するように警報音を出力する。
【００５１】
音響部２２２は、電気信号を音に変換するスピーカにより構成される。スピーカは、振動板を有し、電気信号に従って振動板を機械的に振動させることにより警報音を発する。音響部２２２は、制御部２０６による制御下で、警報音（例えば「ピー」音）を出力する。音響部２２２は、警報音の大きさ（音圧レベル）を変化させて警報音を出力することが好ましい。警報音は、例えば、低音から高音にスイープさせたスイープ音を含んでもよい。警報音は、例えば「火事です。火事です。」といった音声メッセージを含んでもよい。また、警報音は、スイープ音と、スイープ音に連続する音声メッセージとから構成されてもよい。
【００５２】
なお、警報中（警報音を発報中）に警報器２０が外部からの操作入力を受け付けると、音響部２２２は、警報音の出力を停止する。
【００５３】
表示部２２１は、火災の発生を報知する機能を有している。表示部２２１は、光源として赤色ＬＥＤ（Light Emitting Diode）２２３を有している。表示部２２１は、通常時（火災の監視時）には消灯しており、制御部２０６にて火災が発生したと判定したときに点滅（又は点灯）を開始する。以下、火災発生を報知する点滅を「作動点滅」と呼ぶこともある。作動点滅は、警報音の発報が停止すると、制御部２０６の制御の下、停止する。
【００５４】
記憶部２０３は、ＲＯＭ、ＲＡＭ、又はＥＥＰＲＯＭ等から選択されるデバイスで構成される。記憶部２０３は、警報音として出力する音声メッセージに係る警報メッセージデータを記憶している。また、記憶部２０３は、通知情報として情報端末に送信する送信メッセージデータを記憶している。さらに、記憶部２０３は、自機に割り当てられた警報器用識別子を記憶している。記憶部２０３は、自機についての発報履歴、点検履歴、経過期間及び残量情報を記憶している。発報履歴は、発報回数及び発報した日時を含む。点検履歴は、点検回数及び点検結果（発報の有無等）を含む。経過期間は、自機が設置されてからの期間（年数）を含む。残量情報は、バッテリー２０７の残容量及び残容量を求めた日時（計測日時）を含む。
【００５５】
第１通信部２０４は、無線により、子機である警報器２１と通信するための通信インタフェースを有している。第１通信部２０４は、４２０ＭＨｚ帯の電波を利用した無線通信により、警報器２１と通信を行う。第１通信部２０４は、警報器２１の検知結果を受信する。さらには、第１通信部２０４は、１つの警報器２１（例えば警報器２１ａ）から検知結果を受信すると、他の警報器２１（警報器２１ｂ〜２１ｄ）へ発報指示を送信する。
【００５６】
第２通信部２０５は、無線により、制御装置１０と通信するための通信インタフェースを有している。第２通信部２０５は、９２０ＭＨｚ帯の電波を利用した無線通信により、制御装置１０と通信を行う。第２通信部２０５は、自機が火災の発生を検知した場合には、自機の検知結果を、制御装置１０に送信する。第２通信部２０５は、第１通信部２０４が警報器２１の検知結果を受信した場合には、警報器２１の検知結果を、制御装置１０に送信する。
【００５７】
制御部２０６は、検知部２０１が出力した検知信号に基づいて、火災の発生の有無を判断する。例えば、制御部２０６は、検知信号が示す電圧レベルが予め定められた閾値以上である場合には、火災が発生したと判断する。
【００５８】
制御部２０６は、火災が発生したと判断する場合には、災害検知を表す情報、言い換えると施設５の火災の発生を検知したことを表す情報であって、自機の警報器用識別子を含む検知結果を、第２通信部２０５を介して、制御装置１０に送信する。さらに、制御部２０６は、火災が発生したと判断する場合には、子機である各警報器２１に第１通信部２０４を介して発報指示を送信する。
【００５９】
制御部２０６は、火災が発生したと判断した場合、音響部２２２から警報音の出力を開始させる。例えば、制御部２０６は、音声メッセージを警報音として音響部２２２から出力させる場合には、記憶部２０３に記憶されているメッセージデータに基づいて、音声メッセージに対応した音声信号を生成する。このとき、音響部２２２は、制御部２０６が生成した音声信号に基づいた音声メッセージ（警報音）を出力する。
【００６０】
また、制御部２０６は、火災が発生したと判断した場合、表示部２２１を点滅させるように、表示部２２１を制御する。
【００６１】
制御部２０６は、施設５の火災の発生を検知したことを表す情報を検知結果として警報器２１から第１通信部２０４を介して取得すると、警報器２１の検知結果を、第２通信部２０５を介して、制御装置１０に送信する。さらに、制御部２０６は、子機である他の警報器２１に第１通信部２０４を介して発報指示を送信する。
【００６２】
制御部２０６は、警報器２１から施設５の火災の発生を検知したことを表す情報を検知結果として受け取ると、音響部２２２から警報音の出力を開始する。さらに、制御部２０６は、表示部２２１を点滅させるように、表示部２２１を制御する。
【００６３】
制御部２０６は、通常モードと、点検モードとを有している。
【００６４】
制御部２０６は、通常モード時では、上述したように、火災の発生を検知すると、音声信号の生成、表示部２２１の点滅、及び他の警報器２０への発報指示を行う。さらに、制御部２０６は、記憶部２０３が記憶する発報履歴に含まれる発報回数を更新し、火災の発生を検知した日時（発報した日時）を発報履歴に含める。
【００６５】
制御部２０６は、点検モード時では、火災の発生を検知すると、音声信号の生成及び表示部２２１の点滅を行う。さらに、制御部２０６は、記憶部２０３が記憶する点検履歴に含まれる点検回数を更新し、点検結果（発報の有無等）を点検履歴に含める。
【００６６】
さらに、制御部２０６は、自機が設置されてからの経過期間の日数をカウントし、経過期間を年数に換算して定期的に更新する。
【００６７】
また、制御部２０６は、定期的にバッテリー２０７の電圧を計測する。制御部２０６は、記憶部２０３内に、バッテリー２０７の電圧値と容量とが対応付けされた特性データを予め記憶し、監視する電圧値に対応する残容量が容量を求める。制御部２０６は、記憶部２０３が記憶する残量情報に含まれる残容量を、求めた残容量に更新する。制御部２０６は、記憶部２０３が記憶する残量情報に含まれる計測日時を、求めた残容量の計測日時に更新する。さらに、制御部２０６は、求めた残容量が電池切れの判断の基準となる基準容量よりも多い容量である場合には、バッテリーの交換時期であることを知らせるメッセージを残量情報に含める。
【００６８】
制御部２０６は、記憶部２０３に記憶する発報履歴、点検履歴、経過期間及び残量情報のうち少なくとも１つを含む第１関連情報を、定期的に制御装置１０に第２通信部２０５を介して出力する。本実施形態では、警報器２０が出力する第１関連情報は、発報履歴、点検履歴、経過期間及び残量情報を含む。
【００６９】
（２−３）警報器（子機）
ここでは、子機である警報器２１の構成について説明する。なお、警報器２０と同一の構成要素については、警報器２０と同一の符号を付し、その説明を適宜省略する。
【００７０】
警報器２１は、警報器２０と同様に、施設５での災害（ここでは、火災）の発生を検知する検知機能と、施設５での災害の発生を検知した場合に報知する警報機能を有する。警報器２１は、図４に示すように、検知部２０１、報知部２０２、記憶部２０３、通信部２５０、制御部２５１及びバッテリー２０７を有する。
【００７１】
警報器２１は、例えばプロセッサ及びメモリを有するコンピュータシステムを有している。そして、プロセッサがメモリに格納されているプログラムを実行することにより、コンピュータシステムが制御部２５１として機能する。プロセッサが実行するプログラムは、ここではコンピュータシステムのメモリに予め記録されているが、メモリカード等の非一時的記録媒体に記録されて提供されてもよいし、インターネット等の電気通信回線を通じて提供されてもよい。
【００７２】
警報器２１は、バッテリー２０７から供給される電力で動作する。
【００７３】
通信部２５０は、無線により、親機である警報器２０と通信するための通信インタフェースを有している。通信部２５０は、４２０ＭＨｚ帯の電波を利用した無線通信により、警報器２０と通信を行う。通信部２５０は、警報器２１の検知結果を送信する。さらには、通信部２５０は、警報器２０から発報指示を受信する。
【００７４】
制御部２５１は、自機の検知部２０１が出力した検知信号に基づいて、火災の発生の有無を判断する。例えば、制御部２５１は、検知信号が示す電圧レベルが予め定められた閾値以上である場合には、火災が発生したと判断する。
【００７５】
制御部２５１は、火災が発生したと判断する場合には、災害検知を表す情報、言い換えると施設５の火災の発生を検知したことを表す情報であって、自機の警報器用識別子を含む検知結果を、通信部２５０を介して、警報器２０に送信する。
【００７６】
制御部２５１は、火災が発生したと判断した場合、自機の音響部２２２から警報音の出力を開始させる。例えば、制御部２５１は、音声メッセージを警報音として自機の音響部２２２から出力させる場合には、自機の記憶部２０３に記憶されているメッセージデータに基づいて、音声メッセージに対応した音声信号を生成する。このとき、音響部２２２は、制御部２５１が生成した音声信号に基づいた音声メッセージ（警報音）を出力する。
【００７７】
また、制御部２５１は、火災が発生したと判断した場合、自機の表示部２２１を点滅させるように、自機の表示部２２１を制御する。
【００７８】
制御部２５１は、通信部２５０を介して警報器２０から発報指示を受け取ると、自機の音響部２２２から警報音の出力を開始する。さらに、制御部２５１は、自機の表示部２２１を点滅させるように、自機の表示部２２１を制御する。
【００７９】
制御部２５１は、通常モードと、点検モードとを有している。
【００８０】
制御部２５１は、通常モード時では、上述したように、火災の発生を検知すると、音声信号の生成、表示部２２１の点滅、及び警報器２０への検知結果の送信を行う。さらに、制御部２５１は、記憶部２０３が記憶する発報履歴に含まれる発報回数を更新し、火災の発生を検知した日時（発報した日時）を発報履歴に含める。
【００８１】
制御部２５１は、点検モード時では、火災の発生を検知すると、音声信号の生成及び表示部２２１の点滅を行う。さらに、制御部２５１は、記憶部２０３が記憶する点検履歴に含まれる点検回数を更新し、点検結果（発報の有無等）を点検履歴に含める。
【００８２】
さらに、制御部２５１は、自機が設置されてからの経過期間の日数をカウントし、経過期間を定期的（例えば、日ごと）に更新する。
【００８３】
また、制御部２５１は、定期的にバッテリー２０７の電圧を計測する。制御部２５１は、記憶部２０３内に、バッテリー２０７の電圧値と容量とが対応付けされた特性データを予め記憶し、監視する電圧値に対応する残容量が容量を求める。制御部２５１は、記憶部２０３が記憶する残量情報に含まれる残容量を、求めた残容量に更新する。制御部２５１は、記憶部２０３が記憶する残量情報に含まれる計測日時を、求めた残容量の計測日時に更新する。さらに、制御部２５１は、求めた残容量が電池切れの判断の基準となる基準容量よりも多い容量である場合には、バッテリーの交換時期であることを知らせるメッセージを残量情報に含める。
【００８４】
制御部２５１は、記憶部２０３に記憶する発報履歴、点検履歴、経過期間及び残量情報のうち少なくとも１つを含む第１関連情報を、定期的に制御装置１０に通信部２５０及び警報器２０を介して出力する。本実施形態では、警報器２１が出力する第１関連情報は、発報履歴、点検履歴、経過期間及び残量情報を含む。
【００８５】
（２−４）サーバ
サーバ４０は、例えばプロセッサ及びメモリを有するコンピュータシステムを有している。そして、プロセッサがメモリに格納されているプログラムを実行することにより、コンピュータシステムがサーバ４０として機能する。プロセッサが実行するプログラムは、ここではコンピュータシステムのメモリに予め記録されているが、メモリカード等の非一時的記録媒体に記録されて提供されてもよいし、インターネット等の電気通信回線を通じて提供されてもよい。
【００８６】
サーバ４０は、閲覧コンテンツ及び機器用閲覧コンテンツのうち少なくとも一方のコンテンツを要求するコンテンツ要求情報を受け取ると、受け取ったコンテンツ要求情報を制御装置１０に送信する。
【００８７】
サーバ４０は、制御装置１０及び情報端末５０と通信可能に構成されている。サーバ４０は、コンテンツ要求情報に応じたコンテンツを、制御装置１０から取得すると、取得したコンテンツを情報端末５０に送信する。
【００８８】
（２−５）情報端末
情報端末５０は、例えばプロセッサ及びメモリを有するコンピュータシステムを有している。そして、プロセッサがメモリに格納されているプログラムを実行することにより、コンピュータシステムが情報端末５０として機能する。プロセッサが実行するプログラムは、ここではコンピュータシステムのメモリに予め記録されているが、メモリカード等の非一時的記録媒体に記録されて提供されてもよいし、インターネット等の電気通信回線を通じて提供されてもよい。
【００８９】
情報端末５０は、サーバ４０と通信可能に構成されている。情報端末５０は、コンテンツ要求情報を、サーバ４０に送信する。情報端末５０は、要求に応じたコンテンツを、サーバ４０から受信すると、自機の表示部に表示する。ここで、情報端末５０の表示部はタッチパネル機能を有している。
【００９０】
例えば、情報端末５０は、専用のアプリケーションソフトをインストールし、このアプリケーションソフトを起動することにより、コンテンツを要求する機能、及び要求したコンテンツを表示する機能を実現する。
【００９１】
なお、ここでは、情報端末５０は、サーバ４０を介して制御装置１０と通信を行う構成としたが、この構成に限定されない。情報端末５０は、サーバ４０を介することなくコンテンツ要求情報を制御装置１０に送信し、制御装置１０からコンテンツ要求情報に応じたコンテンツを受信する構成であってもよい。
【００９２】
ここで、情報端末５０が表示する閲覧コンテンツの画面Ｇ１（図５参照）について説明する。なお、同一の画面が制御装置１０の表示部１５で表示されてもよい。
【００９３】
画面Ｇ１は、施設５に設けられている警報器２０，２１の個数と同数の状態表示領域を含む。ここでは、画面Ｇ１は、５つの第１状態表示領域Ｒ１〜第５状態表示領域Ｒ５を含む。例えば、第１状態表示領域Ｒ１では、警報器２０の設置場所を示す情報と、警報器２０の第１関連情報に基づくメッセージとが表示される。第２状態表示領域Ｒ２では、警報器２１ａの設置場所を示す情報と、警報器２１ａの第１関連情報に基づくメッセージとが表示される。第３状態表示領域Ｒ３では、警報器２１ｂの設置場所を示す情報と、警報器２１ｂの第１関連情報に基づくメッセージとが表示される。第４状態表示領域Ｒ４では、警報器２１ｃの設置場所を示す情報と、警報器２１ｃの第１関連情報に基づくメッセージとが表示される。第５状態表示領域Ｒ５では、警報器２１ｄの設置場所を示す情報と、警報器２１ｄの第１関連情報に基づくメッセージとが表示される。
【００９４】
例えば、警報器２０が設置された空間Ｅ１が１階の和室であり、経過期間が所定の期間を経過している場合には、第１状態表示領域Ｒ１では、警報器２０の設置場所として“１階和室”が、メッセージとして“買替時期です”が、それぞれ表示される（図５参照）。警報器２１ｃが設置された空間Ｅ４が２階の子供部屋であり、バッテリー２０７の残容量が所定値以下である場合には、第４状態表示領域Ｒ４では、警報器２１ｃの設置場所として“２階子供部屋”が、メッセージとして“電池切れ”が、それぞれ表示される（図５参照）。他の警報器２１ａ，２１ｂ，２１ｄについては、対応する状態表示領域において、設置場所とメッセージとして“正常”が表示される。
【００９５】
（３）動作
ここでは、閲覧コンテンツの生成に係る制御装置１０の動作について、図６を用いて説明する。
【００９６】
制御装置１０の生成部１０２は、発報履歴、点検履歴、経過期間及び残量情報のうち少なくとも１つを含む第１関連情報を取得部１０１が受信したか否かを判断する（ステップＳ１）。
【００９７】
取得部１０１は、第１関連情報を取得していないと判断する場合には（ステップＳ１における「Ｎｏ」）、第１関連情報の取得待ちとなる。
【００９８】
取得部１０１は、第１関連情報を取得したと判断する場合には（ステップＳ１における「Ｙｅｓ」）、取得部１０１は、取得した第１関連情報を記憶部１３に蓄積する（ステップＳ２）。
【００９９】
生成部１０２は、情報端末５０からサーバ４０を介して、閲覧コンテンツを要求するコンテンツ要求情報を第２通信部１２が受け取ったか否かを判断する（ステップＳ３）。
【０１００】
第２通信部１２がコンテンツ要求情報を受け取っていないと生成部１０２が判断する場合には（ステップＳ３における「Ｎｏ」）、処理はステップＳ１に戻る。
【０１０１】
第２通信部１２がコンテンツ要求情報を受け取ったと判断する場合には（ステップＳ３における「Ｙｅｓ」）、生成部１０２は、閲覧コンテンツを生成する（ステップＳ４）。
【０１０２】
出力処理部１０３は、生成部１０２が生成した閲覧コンテンツを、コンテンツ要求情報を送信した情報端末５０にサーバ４０を介して送信する。
【０１０３】
なお、制御装置１０に対する操作により制御部１４がコンテンツ要求情報を受け取った場合には、出力処理部１０３は、生成部１０２が生成した閲覧コンテンツを表示部１５に出力し、表示部１５に表示させる。
【０１０４】
（４）利点
本実施形態で述べたように、制御装置１０は、発報履歴、点検履歴、経過期間及び残量情報のうち少なくとも１つを含む第１関連情報を基に閲覧コンテンツを生成し、表示部１５又は情報端末５０に表示させる。そのため、閲覧コンテンツの閲覧者は、警報器２０，２１の動作の履歴に関する情報、動作状態に関する情報を確認することができる。例えば、点検履歴に関する情報を見た閲覧者は、これまでの点検動作を確認することができる。また、残量情報に関する情報を見た閲覧者は、現在のバッテリー２０７の残容量を確認し、バッテリー２０７の交換の要否を判断することができる。
【０１０５】
（５）変形例
上記実施形態は、本開示の様々な実施形態の一つに過ぎない。上記実施形態は、本開示の目的を達成できれば、設計等に応じて種々の変更が可能である。以下に、変形例について列記する。なお、以下に説明する変形例は、上記実施形態と適宜組み合わせて適用可能である。
【０１０６】
（５−１）変形例１
上記実施形態において、制御装置１０は、情報端末５０に階層表示をさせてもよい。
【０１０７】
例えば、画面Ｇ１が表示されているときに、複数の状態表示領域のうち１つの状態表示領域に対して所定の操作（例えば、タッチ操作）が行われると、当該１つの状態表示情報に対応する警報器についての詳細な情報を表示する詳細画面に遷移する。
【０１０８】
図５に示す第１状態表示領域Ｒ１に対して所定の操作が行われると、警報器２０に対する詳細な情報を表示する詳細画面Ｇ１１が、情報端末５０の表示部に表示される（図７参照）。
【０１０９】
詳細画面Ｇ１１は、図７に示すように、対象機器表示領域Ｒ１１、第１履歴表示領域Ｒ１２、第２履歴表示領域Ｒ１３、経過期間表示領域Ｒ１４及び残容量表示領域Ｒ１５を含む。
【０１１０】
対象機器表示領域Ｒ１１では、表示内容の対象となる警報器に係る情報が表示される。例えば、警報器の設置場所を示す情報が表示される。ここでは、図５に示す第１状態表示領域Ｒ１に対して所定の操作が行われているので、対象機器表示領域Ｒ１１では、警報器２０の設置場所が表示される。
【０１１１】
第１履歴表示領域Ｒ１２及び第２履歴表示領域Ｒ１３は、利用者が閲覧を希望する際に選択する履歴の名称が表示される。例えば、第１履歴表示領域Ｒ１２に対して所定の操作（例えば、タッチ操作）が行われると、発報履歴を表示する画面（第１履歴画面）に遷移する。第１履歴画面では、対応する警報器（ここでは、警報器２０）が発報した回数、及び発報した日時が表示される。また、第２履歴表示領域Ｒ１３に対して所定の操作（例えば、タッチ操作）が行われると、点検履歴を表示する画面（第２履歴画面）に遷移する。第２履歴画面では、対応する警報器（ここでは、警報器２０）に対して点検が行われた回数、及び点検結果（発報の有無等）が表示される。
【０１１２】
経過期間表示領域Ｒ１４は、対応する警報器（ここでは、警報器２０）が設置されてからの期間が表示される。図７では、警報器２０の経過時間として“１０年”が表示される。
【０１１３】
残容量表示領域Ｒ１５では、対応する警報器（ここでは、警報器２０）が備えるバッテリー２０７の残容量を求めた最新の日時と、当該日時での残量量とを含む。図７では、バッテリー２０７の残容量を求めた最新の日時として“２０１８年１１月１１日１３：００”が表示され、当該日時での残容量が“５０％”であることが表示される。
【０１１４】
このように、階層表示させることで、１画面に含める情報の量を極力小さくすることができる。
【０１１５】
（５−２）変形例２
制御装置１０は、情報端末５０からのコンテンツ要求情報を受け取った場合に、閲覧コンテンツを送信する構成としたが、この構成に限定されない。
【０１１６】
制御装置１０は、第１関連情報に含まれる情報が所定の条件を満たす場合には閲覧コンテンツを生成し、プッシュ通知により情報端末５０に通知してもよい。
【０１１７】
例えば、第１関連情報に残量情報が含まれる場合、生成部１０２は、残量情報にバッテリーの交換時期であることを知らせるメッセージが含まれるとき、又は残容量が予め決められた閾値となったとき（例えば、残容量が１０％となったとき）には、少なくとも残量情報を含む閲覧コンテンツを生成する。出力処理部１０３は、プッシュ通知により閲覧コンテンツを情報端末５０にサーバ４０を介して送信する。
【０１１８】
または、第１関連情報に経過期間が含まれる場合、生成部１０２は、当該経過期間が所定の日数を超えたときには、少なくとも経過期間を含む閲覧コンテンツを生成する。出力処理部１０３は、プッシュ通知により閲覧コンテンツを情報端末５０にサーバ４０を介して送信する。
【０１１９】
または、第１関連情報に点検履歴が含まれる場合、最新の点検で警報音が報知されなかったことが点検履歴に含まれるとき、少なくとも点検履歴を含む閲覧コンテンツを生成する。出力処理部１０３は、プッシュ通知により閲覧コンテンツを情報端末５０にサーバ４０を介して送信する。
【０１２０】
（５−３）変形例３
上記実施形態では、警報器２０，２１は、施設５での災害の発生を検知し、報知する構成としたが、この構成に限定されない。
【０１２１】
警報器２０，２１は、防犯に係る検知及び報知を行う構成であってもよい。例えば、施設５が留守状態である場合に、窓の開閉を検知すると、警報を報知する構成であってもよい。
【０１２２】
つまり、警報器２０，２１は、施設５での異常を検知し、報知する構成であればよい。また、警報器２０，２１は、施設５での異常を検知する機能のみを有してもよい。
【０１２３】
（５−４）変形例４
上記実施形態では、生成部１０２は、同一種別の機器を同一グループとして、閲覧コンテンツ（一覧表）を生成する構成としたが、この構成に限定されない。
【０１２４】
施設５に含まれる空間ごとに、当該空間に含まれる警報器２０（又は２１）及び電気機器３０を同一グループとして閲覧コンテンツ（一覧表）を生成してもよい。
【０１２５】
または、警報器２０，２１のうちメンテナンスが必要な機器、例えばバッテリーの交換が必要な警報器、又は警報器のものの交換（買い替え）が必要な警報器を同一のグループとして、閲覧コンテンツ（一覧表）を生成してもよい。または、警報器２０，２１及び複数の電気機器３０のうちメンテナンスが必要な機器、を同一のグループとして、閲覧コンテンツ（一覧表）を生成してもよい。
【０１２６】
（５−５）変形例５
上記実施形態では、警報器２０，２１は、点検モード時では、火災の発生を検知すると、音声信号の生成及び表示部２２１の点滅を行う構成としたが、この構成に限定されない。
【０１２７】
警報器２１は、点検モード時には、火災の発生を検知すると、音声信号の生成及び表示部２２１の点滅に加えて、警報器２０への検知結果の送信を行う。また、警報器２０は、点検モード時には、火災の発生を検知すると、音声信号の生成及び表示部２２１の点滅に加えて、警報器２１への発報指示を行う。さらに、警報器２０は、点検モードにおいて、警報器２１から検知結果を受け取ると、他の警報器２１に発報指示を送信する。
【０１２８】
（５−６）変形例６
上記実施形態では、制御装置１０は、情報端末５０からのコンテンツ要求情報を受け取ったことを契機として閲覧コンテンツ（又は機器用閲覧コンテンツ）を作成する構成としたが、この構成に限定されない。
【０１２９】
制御装置１０の生成部１０２は、第１関連情報（又は第２関連情報）の取得について所定の条件を満たした場合に、閲覧コンテンツ（機器用閲覧コンテンツ）を作成し、記憶部１３に記憶してもよい。この場合、制御装置１０は、情報端末５０からコンテンツ要求情報を受け取ると、記憶している閲覧コンテンツ（機器用閲覧コンテンツ）を送信する。ここで、所定の条件を満たすとは、例えば、第１関連情報（又は第２関連情報）の取得を所定回数行ったことである。
【０１３０】
なお、生成部１０２は、生成した閲覧コンテンツ（又は機器用閲覧コンテンツ）を記憶部１３に記憶する代わりに、サーバ４０に記憶させてもよい。この場合、サーバ４０は、閲覧コンテンツ（又は機器用閲覧コンテンツ）と、送信先となる情報端末５０に係る情報（メールアドレス、電話番号等）とを対応付けて記憶する。サーバ４０がコンテンツ要求情報を情報端末５０から受け取ると、サーバ４０が記憶している閲覧コンテンツ（又は機器用閲覧コンテンツ）のうちコンテンツ要求情報の送信元である情報端末５０に対応する
閲覧コンテンツ（又は機器用閲覧コンテンツ）を、情報端末５０に送信する。
【０１３１】
（その他の変形例）
上記実施形態では、警報器２０，２１は、検知機能及び報知機能の双方を有する構成としたが、この構成に限定されない。警報器２０，２１は、検知機能のみを有する構成であってもよい。
【０１３２】
上記実施形態では、制御装置１０は、一例として、ＨＥＭＳのコントローラとする構成としたが、この構成に限定されない。制御装置１０は、ネットワーク３と接続可能な装置であればよい。または、制御装置１０は、警報器２０(又は２１)に含まれてもよい。つまり、制御装置１０と警報器２０（又は２１）とは一体型の装置であってもよい。
【０１３３】
上記実施形態では、警報器２０を親機とし、警報器２１を子機として、子機は親機を介して制御装置と通信する構成としたが、この構成に限定されない。警報器２１は、他の警報器（警報器２０）を介することなく制御装置１０と通信する構成であってもよい。
【０１３４】
上記実施形態では、警報システム２は、複数の警報器２０，２１を備える構成としたが、この構成に限定されない。警報システム２は、制御装置１０と通信可能な１つの警報器のみを備えてもよい。要は、警報装置は、制御装置１０と通信可能な少なくとも１つの警報器を備えていればよい。
【０１３５】
上記実施形態において、警報器２１は、警報器２０と同一の構成であってもよい。この場合、警報器２０，２１を設置する際に、例えば設置業者が、警報器２０，２１のうち１つの警報器を選択し、選択した１つの警報器を親機として、残りの警報器を子機として設定する。
【０１３６】
また、上記実施形態において、第１通信部１１は、警報器２０及び各電気機器３０との通信は、有線であってもよい。
【０１３７】
また、上記実施形態において、制御装置１０は、サーバ４０を介して情報端末５０と通信する構成としたが、この構成に限定されない。制御装置１０は、サーバ４０を介することなく情報端末５０と通信を行ってもよい。
【０１３８】
また、制御システム１（制御装置１０）と同様の機能は、制御方法、コンピュータプログラム、又はプログラムを記録した記録媒体等で具現化されてもよい。一態様に係る制御システム１の制御方法は、取得ステップと、生成ステップと、出力処理ステップと、を含む。取得ステップは、施設５の異常の発生を検知する検知器（例えば、警報器２０，２１）に関連する関連情報を、検知器から取得する。生成ステップは、関連情報に基づいて、利用者が閲覧する閲覧コンテンツを生成する。出力処理ステップは、閲覧コンテンツを出力する。一態様に係るプログラムは、コンピュータシステムを、上述した制御システム１として機能させるためのプログラムである。
【０１３９】
本開示における制御システム１は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における制御システム１としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【０１４０】
また、制御システム１における複数の機能が、１つの筐体内に集約されていることは制御システム１に必須の構成ではなく、制御システム１の構成要素は、複数の筐体に分散して設けられていてもよい。さらに、制御システム１の少なくとも一部の機能、例えば、制御装置１０の一部の機能がクラウド（クラウドコンピューティング）等によって実現されてもよい。
【０１４１】
（まとめ）
以上説明したように、第１の態様の制御システム（１）は、取得部（１０１）と、生成部（１０２）と、出力処理部（１０３）と、を備える。取得部（１０１）は、施設（５）の異常の発生を検知する検知器（例えば、警報器２０，２１）に関連する関連情報（例えば、第１関連情報）を、検知器から取得する。生成部（１０２）は、関連情報に基づいて、利用者が閲覧する閲覧コンテンツを生成する。出力処理部（１０３）は、閲覧コンテンツを出力する。
【０１４２】
この構成によると、関連情報を基に生成された閲覧コンテンツを利用することで、利用者は、検知器の状態を把握することができる。例えば、閲覧コンテンツが、これまでの検知器の動作に係る履歴を含む場合には、利用者は、履歴を基に、検知器の故障の有無又はメンテナンスの要否を判断することができる。また、閲覧コンテンツが、現在の検知器の動作に係る情報を含む場合には、利用者は、当該情報を基に、検知器の故障の有無又はメンテナンスの要否を判断することができる。
【０１４３】
第２の態様の制御システム（１）では、第１の態様において、検知器は、前記異常の発生を検知した場合に発報する。関連情報は、検知器が発報した履歴に関する発報履歴を含む。生成部（１０２）は、発報履歴を含む閲覧コンテンツを生成する。
【０１４４】
この構成によると、利用者は、発報履歴を基に、検知器の状態として検知器の故障の有無又はメンテナンスの要否を判断することができる。
【０１４５】
第３の態様の制御システム（１）では、第１又は第２の態様において、関連情報は、検知器の点検の履歴に関する点検履歴を含む。生成部（１０２）は、点検履歴を含む閲覧コンテンツを生成する。
【０１４６】
この構成によると、利用者は、点検履歴を基に、検知器の状態として検知器の故障の有無又はメンテナンスの要否を判断することができる。
【０１４７】
第４の態様の制御システム（１）では、第１〜第３のいずれかの態様において、関連情報は、検知器が設置されてからの経過期間を含む。生成部（１０２）は、経過期間を含む閲覧コンテンツを生成する。
【０１４８】
この構成によると、利用者は、経過期間を基に、検知器の状態としてメンテナンスの要否を判断することができる。
【０１４９】
第５の態様の制御システム（１）では、第１〜第４のいずれかの態様において、関連情報は、検知器が備える電池（バッテリー２０７）の残量に関する残量情報を含む。生成部（１０２）は、残量情報を含む閲覧コンテンツを生成する。
【０１５０】
この構成によると、利用者は、残量情報基に、検知器の状態としてメンテナンスの要否、例えば電池の交換の要否を判断することができる。
【０１５１】
第６の態様の制御システム（１）では、第１〜第５のいずれかの態様において、施設（５）は、少なくとも前記検知器を含む複数の機器を設けている。生成部（１０２）は、複数の機器の各々の関連情報を含む閲覧コンテンツを生成する。
【０１５２】
この構成によると、各機器についての状態を把握することができる。
【０１５３】
第７の態様の制御システム（１）では、第６の態様において、複数の機器は、検知器である。
【０１５４】
この構成によると、各検知器についての状態を把握することができる。
【０１５５】
第８の態様の制御システム（１）では、第６又は第７の態様において、生成部（１０２）は、複数の機器の各々の関連情報を含む閲覧コンテンツを一覧表として生成する。
【０１５６】
この構成によると、複数の機器の各々の関連情報を含む閲覧コンテンツを一覧表として閲覧可能となる。
【０１５７】
第９の態様の制御システム（１）は、第１〜第８のいずれかの態様において、閲覧コンテンツを表示する表示部（１５）を、更に備える。
【０１５８】
この構成によると、制御システム（１）で閲覧コンテンツを表示することができる。
【０１５９】
第１０の態様の制御システム（１）では、第１〜第９のいずれかの態様において、出力処理部（１０３）は、閲覧コンテンツを、外部の情報端末（５０）に出力して情報端末（５０）に閲覧コンテンツを表示させる。
【０１６０】
この構成によると、利用者は、制御システム（１）の近くにいない場合であっても、情報端末（５０）を利用することで、閲覧コンテンツを閲覧することができる。
【０１６１】
第１１の態様の制御システム（１）では、第９又は第１０の態様において、出力処理部（１０３）は、閲覧コンテンツが階層表示されるように閲覧コンテンツの表示を制御する。
【０１６２】
この構成によると、段階的に詳細な情報を表示することができる。
【０１６３】
第１２の態様の制御システム（１）では、第１〜第１０のいずれかの態様において、出力処理部（１０３）は、少なくとも所定の条件を満たす場合には閲覧コンテンツをプッシュ通知による出力を行う。
【０１６４】
この構成によると、利用者からの要求がなくても閲覧コンテンツを利用者に通知することができる。
【０１６５】
第１３の態様のプログラムは、コンピュータを、第１〜第１２のいずれかの態様の制御システム（１）として機能させるためのプログラムである。
【０１６６】
このプログラムによると、関連情報を基に生成された閲覧コンテンツを利用することで、利用者は、検知器の状態を把握することができる。
【０１６７】
第１４の態様の制御方法は、取得ステップと、生成ステップと、出力処理ステップと、を含む。取得ステップは、施設（５）の異常の発生を検知する検知器（例えば、警報器２０，２１）に関連する関連情報を、検知器から取得する。生成ステップは、関連情報に基づいて、利用者が閲覧する閲覧コンテンツを生成する。出力処理ステップは、閲覧コンテンツを出力する。
【０１６８】
この制御方法によると、関連情報を基に生成された閲覧コンテンツを利用することで、利用者は、検知器の状態を把握することができる。
【符号の説明】
【０１６９】
１    制御システム
５    施設
１０    制御装置
１５    表示部
２０，２１，２１ａ，２１ｂ，２１ｃ，２１ｄ  警報器（検知器）
５０    情報端末
１０１    取得部
１０２    生成部
１０３    出力処理部
２０７    バッテリー（電池）
【図１】
2020087364.tif 000003
【図２】
2020087364.tif 000004
【図３】
2020087364.tif 000005
【図４】
2020087364.tif 000006
【図５】
2020087364.tif 000007
【図６】
2020087364.tif 000008
【図７】
2020087364.tif 000009